(57)【要約】【課題】断面形状が略多角形のブームを具備するアンテナにおいて，組み立て操作を簡単にする。【解決手段】断面形状が略多角形のブームと，該ブームを下方から支持するようにした略Ｕ字状の支持杆と，該支持杆とブームの中間位置とを結合させる結合具とからなるアンテナにおいて，結合具は，板状材料を曲げ形成してＵ字状にしてある本体と，本体におけるバンド部の両側に連なる自由端部である支持杆添着部を支持杆の両側に対して締，緩自在に締着する締具に加え，ブームの側方から着脱自在に巻き付け装着が可能なように断面形状が略Ｃ字状に形成された部材であって，ブームの外周面における少なくとも１つの側面の形状に対応するように形成された添付部と，その添付部に延設され，該当付面に対応する側面を除く前記ブームの外周面を取り囲むように湾曲形成されたブーム添着部と，からなるブームホルダーを備えた。【選択図】  図４
2012138761.tif 000002
【特許請求の範囲】
【請求項１】
複数のアンテナエレメントを具備するアンテナのブームと，そのブームを横臥させた状態で，該ブームを下方から支持するようにした略Ｕ字状の支持杆と，該支持杆の上部と前記ブームの中間位置とを結合させるようにしてある結合具とからなるアンテナにおいて，
前記ブームは，断面が略多角形状に形成されおり，
前記結合具は，板状材料を曲げ形成してＵ字状にしてある本体と，本体におけるバンド部の両側に連なる自由端部である支持杆添着部を前記支持杆の両側に対して締，緩自在に締着する締具に加え，前記ブームに対して該ブームの側方から着脱自在に巻き付け装着が可能なように断面形状が略Ｃ字状に形成された部材であって，前記ブームの外周面における少なくとも１つの側面の形状に対応するように形成された添付部と，その添付部に延設され，該添付部に対応する側面を除く前記ブームの外周面を取り囲むように湾曲形成されたブーム添着部と，からなるブームホルダーを備えており，
前記結合具は，前記バンド部の内懐部に前記ブームを存置すると共に，当該ブームに巻き付け装着された前記ブームホルダーを内包させるように組み付けた状態で，前記支持杆締着部を前記締具によって締め付けることによって，前記ブームホルダーを介して前記ブームを締着状に保持することを特徴としたアンテナ。
【請求項２】
前記結合具は２つで一組をなしており，夫々前記支持杆添着部を前記締具によって緩めた状態において，
一方の結合具に具備され前記ブームに巻き付け装着された第１のブームホルダーは，前記ブームの軸線方向への移動が可能であると共に，前記第１のブームホルダーに設けられた添付部と前記ブームの側面とを対応させることによって，当該ブームの周方向への回動を不可にするように構成されており，また，一方の結合具に具備された前記本体と前記第１のブームホルダーは，相互に係合する係合手段を備えることによって前記ブームの軸線方向への移動を一体的に可能にすると共に，前記本体が前記第１のブームホルダーの周方向への回動を可能に構成されており，
他方の結合具に具備され前記ブームに巻き付け装着された第２のブームホルダーは，前記ブームの軸線方向への移動と周方向の回動を不可にするように，前記第２のブームホルダーと前記ブームとの間で互いに係止する係止手段を備えており，また，他方の結合具に具備された前記本体と前記第２のブームホルダーは，前記本体が前記第２のブームホルダーの軸線方向への移動と周方向の回動を可能に構成されていることを特徴とした請求項１に記載のアンテナ。
【発明の詳細な説明】
【技術分野】
【０００１】
本発明は，屋外等に設置するアンテナであって，支持杆の上方にブームを止着するように構成されたアンテナに関する。
【背景技術】
【０００２】
以下の説明において，各部材に付与された符号は，それぞれの特許文献に記載されたものを引用しており，同様な部材でも特許文献毎にそれぞれ付与された符号は異なる。
従来のテレビ放送受信用アンテナとして一般的な，長尺の断面略円形のブーム２と，当該ブーム２に配列された複数のアンテナエレメントから構成されるアンテナ１において，当該アンテナ１を取付け対象物であるマスト１２に取付ける方法の一例として，ブーム２の中間部に略Ｕ字状の断面略円形の支持杆７を取付けることでアンテナ１を支持すると共に，当該支持杆７に具備された連結具１３を使ってマスト７に取付ける構造のものが知られている。
【０００３】
このような構成におけるアンテナ１のブーム２と支持杆７との取付けは，当該支持杆７の立上部７ａの上端に添え付けられた結合具８によって行なわれている。この結合具８は，板状材料を曲げ形成してＵ字状にしてある本体１５と，本体１５におけるバンド部１６の両自由端に延設するように設けられた支持杆添着部１７，１７を，支持杆７の立上部７ａの上端の両側に対して締，緩自在に締着するための締具２１とから構成されており，前記バンド部１６の内懐部に前記ブーム２が挿通されるように構成されている。
【０００４】
そして，前記自由端である支持杆添着部１７，１７を緩めた状態では，支持杆７に対してブーム２が回動自在とすることができるので，支持杆の立上部７ａの軸線が導波器３の軸線と略同一方向となるように支持杆７を畳めば，アンテナ１（導波器３）と支持杆７が略同一面上に位置するように折り畳むことができるため，アンテナ１の高さ方向の寸法を短くでき，これによって，例えば製品を収納したり梱包したりする場合を考えると，収納スペースを小さくできるし，梱包材の寸法を小さくできると言った利点がある。
【０００５】
一方，アンテナ１の設置に当たっては，締具２１を緩めるだけで支持杆７に対するブームの角度，即ち導波器３の傾動角度を自由に調整して，正確に水平方向を向かせることができ，しかも，その状態において締具２１を使って支持杆添着部１７，１７を締着すれば，簡単にブーム２の外周面２ａを結合具８におけるバンド部１６によって締着状に簡単に保持することができ，これによって結果ブーム２の回動を防止でき，アンテナ１の電気特性を一定に維持することができる。
（例えば，特許文献１参照）
【０００６】
ところで，このようなアンテナに用いられているブーム２の具体的なものとして，例えば，内部に長手方向がブーム２の軸心方向に向けて長く伸びる状態の複数のリブ３を配置したものが提案されている。このブーム２によると，当該ブーム２にアンテナ素子６を貫通させた状態で，前記リブ３の断面形状における自由端側をアンテナ素子６の管壁の側に曲げることで，アンテナ素子６の外周面を凹ませ，前記リブ３の自由端と凹部とをそれぞれ嵌合させて，アンテナ素子６の回動と，アンテナ素子６の長手方向への移動を阻止することができるのである。そして，ブーム２にアンテナ素子６を固着する方法は，ブーム２の内周面に円弧形状に対応させ，そこへの圧接を可能に対応断面形状にしてある押型２０を，ブーム６管内に挿通させることにより，リブ３の自由端をアンテナ素子６の管壁側に曲げる方法を採用している。
（例えば，特許文献２参照）
【０００７】
しかしながら，特許文献２で示されたような，内部に備えさせたリブを押型で変形させてアンテナ素子を固着する方法は，その生産方法から製品の品質の問題が生じ易かったり，また，ブームの長手方向に向かって押型を挿入する構造であるため，生産設備が大型になり，延いてはコストが掛ることから製品のコストダウンが難しかった。その為，近年では，ブーム３の内面に，断面形状が山形状をしたブームの軸心方向に長いリブ１１を形成しておいて，当該ブーム３にアンテナ素子２０を貫通した状態で，ブーム３を外側から上下方向に加圧することにより，リブ１１を変位させアンテナ素子を固定する方法が考えられた。この従来技術におけるブームに対する加圧は，ブームの管壁における上下の壁部を相互に近づける方向に変形させると共に，左右の壁部は相互に遠く離れるように変形させる固定方法であるため，上下方向からの加圧を効率よく行うため，ブーム３の断面形状は上下に対向する面（即ち，押圧面）を有した多角形状となるように形成されている。
（例えば，特許文献３参照）
【先行技術文献】
【特許文献】
【０００８】
【特許文献１】実公昭６３−０４７０４９号公報
【特許文献２】特許４２５６６８６号公報
【特許文献２】特開２００９−２９０８０７号公報
【発明の概要】
【発明が解決しようとする課題】
【０００９】
ところで，特許文献１乃至特許文献３の発明における，それぞれのブームについて比較してみると，特許文献１と特許文献２とではブームの断面形状が円形であることで一致する。ところが，特許文献１と特許文献２のブームの断面形状は円形であるものの，特許文献３はブームの断面形状が多角形であることから，それぞれの形状は一致しない。
そこで，特許文献１の構成を引用文献３のアンテナに適応することについて，特にブームと，当該ブームを下方から支持する支持杆とを取付けるための結合具に着目して検討する。
【００１０】
特許文献１における結合具８は，既に説明したように板状材料を曲げ形成してＵ字状にしてある本体１５と，本体１５におけるバンド部１６の両自由端に延設するように設けられた支持杆添着部１７，１７を，支持杆７の立上部７ａの上端の両側に対して締，緩自在に締着するための締具２１とから構成されており，前記バンド部１６の内懐部に前記ブーム２が挿通されるように取付けられる。そのため前記締具２１を使って支持杆添着部１７，１７を締着すれば，ブーム２の外周面２ａが，当該外周に対向する区間である外周包囲区間１８の内面と圧接することによって，ブーム２は結合具８によってバンド部１６の内懐部において回動することが阻止されると共に，支持杆７に対して確りと取り付けられるように構成されている。
【００１１】
つまり，この特許文献１の断面円形のブームに対応する結合具を，そのまま引用文献３の断面多角形のブームに適応させると，特許文献１ではブームの外周面とバンド部の外周包囲区間とが面で圧接していたものが，特許文献３の角型ブームでは，当該ブームの角部の頂点とバンド部の外周包囲区間の一部が圧接するだけとなってしまい，その結果，圧接力が弱くなり，本来の期待されるべき，ブームの回動を強固に阻止する作用が得られなくなってしまう。そのため例えば，アンテナが風などによって発生する振動等の影響によって，また，鳥がアンテナエレメントに止まった場合などに，アンテナエレメントの傾動を許してしまい，アンテナの電気的特性を一定に維持することができなくなるという問題が生じる。
【００１２】
そこで，ブームの回動を強固に阻止する作用を実現するため，結合具のハンド部の形状を特許文献３のブームの多角形の外周に対応させるように形成することを考えてみる。この場合，特許文献１のようにブームの外周面とバンド部の外周包囲区間とが面で圧接するばかりでなくブームの角部とバンド部の凹部が嵌合するため，ブームの回動を更に強固に阻止することができる。ところが，結合具のハンド部の形状を多角形のブームの外周に対応させるように形成したことによって，特許文献１が備えている，アンテナ１の設置に当たって，締具を緩めるだけで折り畳んだ支持杆を立ち上げることができると共に，支持杆に対するブームの角度，即ち導波器の傾動角度を自由に調整して，正確に水平方向を向かせることができる機能が損なわれると言った問題が生じる。
【００１３】
更に加えて，結合具のハンド部の形状を特許文献３のブームの多角形の外周に対応させるように形成した場合において，特許文献１の構成のように，アンテナと支持杆が略同一面上に位置するように折り畳んで，アンテナの高さ方向の寸法を短くできると言った，従来技術が備えた利点を実現しようとすると，締具を大きく緩めて，ブームの角部とその角部に対応するバンド部の凹部の嵌合を開放するか，場合によっては締具を取外してしまわないと支持杆を折り畳むことができなくなり，製品の梱包時にアンテナを小型にすることが簡単にはできなくなると言った問題が生じる。
【００１４】
そこで本願は，断面形状が略多角形に形成されたブームを具備するアンテナにおいて生じる上記のような問題点を解決するためになされたものであり，
その目的は，設置に当たっては，簡単な操作でブームの回動を防止し電気特性を一定に維持することができ，しかも，出荷若しくは収納に当たっては，簡単な操作で折り畳み可能なアンテナ支持金具を備えたアンテナを提供することにある。
【課題を解決するための手段】
【００１５】
上記課題を解決するために，請求項１の発明は，複数のアンテナエレメントを具備するアンテナのブームと，そのブームを横臥させた状態で，該ブームを下方から支持するようにした略Ｕ字状の支持杆と，該支持杆の上部と前記ブームの中間位置とを結合させるようにしてある結合具とからなるアンテナにおいて，
前記ブームの断面形状は略多角形に形成されおり，前記結合具は，板状材料を曲げ形成してＵ字状にしてある本体と，本体におけるバンド部の両側に連なる自由端部である支持杆添着部を前記支持杆の両側に対して締，緩自在に締着する締具に加え，前記ブームに対して該ブームの側方から着脱自在に巻き付け装着が可能なように断面形状が略Ｃ字状に形成された部材であって，前記ブームの外周面における少なくとも１つの側面の形状に対応するように形成された添付部と，その添付部に延設され，該添付部に対応する側面を除く前記ブームの外周面を取り囲むように湾曲形成されたブーム添着部と，からなるブームホルダーを備えており，前記結合具は，前記バンド部の内懐部に前記ブームを存置すると共に，当該ブームに巻き付け装着された前記ブームホルダーを内包させるように組み付けた状態で，前記支持杆締着部を前記締具によって締め付けることによって，前記ブームホルダーを介して前記ブームを締着状に保持するように構成した。
【００１６】
請求項２の発明は，請求項１に記載のアンテナにおいて，前記結合具は２つで一組をなしており，夫々前記支持杆添着部を前記締具によって緩めた状態において，
一方の結合具に具備され前記ブームに巻き付け装着された第１のブームホルダーは，前記ブームの軸線方向への移動が可能であると共に，前記第１のブームホルダーに設けられた添付部と前記ブームの側面とを対応させることによって，当該ブームの周方向への回動を不可にするように構成されており，また，一方の結合具に具備された前記本体と前記第１のブームホルダーは，相互に係合する係合手段を備えることによって前記ブームの軸線方向への移動を一体的に可能にすると共に，前記本体が前記第１のブームホルダーの周方向への回動を可能に構成されており，他方の結合具に具備され前記ブームに巻き付け装着された第２のブームホルダーは，前記ブームの軸線方向への移動と周方向の回動を不可にするように，前記第２のブームホルダーと前記ブームとの間で互いに係止する係止手段を備えており，また，他方の結合具に具備された前記本体と前記第２のブームホルダーは，前記本体が前記第２のブームホルダーの軸線方向への移動と周方向の回動を可能に構成した。
【発明の効果】
【００１７】
請求項１の発明によれば，断面形状が多角形のブームを具備したアンテナにおいて，該ブームの断面形状に対応した本体を新しく作ることなく，従来型のＵ字状をしている本体に加え，前記ブームに対して該ブームの側方から着脱自在に巻き付け装着が可能なように断面形状が略Ｃ字状に形成された部材であって，前記ブームの外周面における少なくとも１つの側面の形状に対応するように形成された添付部と，その添付部に延設され，該添付部に対応する側面を除く前記ブームの外周面を取り囲むように湾曲形成されたブーム添着部と，からなるブームホルダーを備えたことによって，従来型のＵ字状に形成された本体を具備した結合具を，断面形状が多角形のブームに装着する場合であっても，締具を緊締すれば，前記ブームに対して回動不能に巻き付け装着された前記ブームホルダーが縮径してブームを挟持すると共に，全体略円形状に縮径した前記ブームホルダーの，前記添付部を除く外周面が，前記本体のバンド部の内面と圧接することができるので，簡単且つ安価であってもブームをバンド部の内懐部において回動の阻止ができ，支持杆に対して確りと取り付けられる，信頼性の高い結合具を備えたアンテナを提供できる。
【図面の簡単な説明】
【００１８】
【図１】（ａ）本願発明のアンテナの設置状態を示す斜視図，（ｂ）アンテナの分解斜視図。
【図２】第１のブームホルダーを説明するための概略図であり，（ａ）はブームに巻き付け装着する前の状態を示す側面図，（ｂ）は使用状態の第１のブームホルダーの説明図，（ｃ）は（ｂ）におけるＡ−Ａ´線から見た断面図（Ｂ部拡大詳細図）である。
【図３】第１のブームホルダーをブームに対して巻き付け装着する手順を説明する概略図である。
【図４】第１のブームホルダーを具備する結合具をブームに装着する手順を説明する概略図である。
【図５】第２のブームホルダーを説明するための概略図であり，（ａ）はブームに巻き付け装着する前の状態を示す側面図，（ｂ）は使用状態の第２のブームホルダーの説明図である。
【図６】第２のブームホルダーを具備する結合具をブームに装着する手順を説明する概略図であり，（ａ）は第２のブームホルダーをブームに巻き付け装着した状態，（ｂ）は結合具を装着した状態の断面図である。（ｃ）は（ｂ）の上面図である。
【図７】ブームと結合具の取付け状態を説明するための概略図であり，（ａ）は設置前の状態を上から見た面図であり，（ｂ）は設置状態にするための操作手順を説明する図面であり，（ｃ）設置状態の上面図である。
【発明を実施するための形態】
【実施例１】
【００１９】
以下本発明の実施の形態を示す図面について説明する。図１は本発明のアンテナを説明するための斜視図である。この図１において，１は例えばＵＨＦ帯の電波の送受信に利用される周知のアンテナを示している。この図において２は，周知のようにアルミニウム或いは塑性変形可能な硬質材等によって形成された断面が多角形状（本発明の実施例では略六角形）の中空のブームを示しており，一般的には建物等の上に設置されたアンテナマスト３の上方に装着され，電波到来方向に向けて配置される。
ブーム２の軸線方向においては，図１に示されるように導波器６，放射器５，反射器４が高周波的に適切な間隔を隔てた位置に周知に手段で備えられている。
導波器６が設けられているブーム２にあっては，夫々ブーム２の軸線に対して直交する方向に向けて適切な間隔を隔てて，導波器６を構成するアンテナ素子６ａが貫通するように形成された２個一対の貫通孔が複数個所に備えられており，当該貫通孔において前記アンテナ素子６ａがブーム２に対して固着されている。
【００２０】
このように構成されたアンテナ１において，ブーム２の軸線方向の長さが長い場合，当該アンテナ１をアンテナマスト３に取付ける方法の一例として，図１（ａ）に示されているように，ブーム２の中間部に略Ｕ字状の断面略円形の支持杆７を取付けることでアンテナ１を支持すると共に，当該支持杆７に具備された連結具７ｂを使ってアンテナマスト３に取付ける構造のものが知られている。
このような構成におけるアンテナ１のブーム２と支持杆７との取付けは，当該支持杆７の立上部７ａの上端に添え付けられた結合具１０によって行なわれる。
【００２１】
以下に図２から図６を用いて前記結合具１０について説明する。本発明の結合具１０は，図４に示されているように，例えば金属体等からなる板状材料を曲げ形成してＵ字状にしてある本体１１と，本体１１におけるバンド部１１ｃの両自由端に延設するように設けられた支持杆添着部１１ａ，１１ａを，支持杆７の立上部７ａの上端の両側に対して締，緩自在に締着するための締具１２を具備しているのに加え，更に図２の２０で示された，前記ブーム２に対して該ブーム２の側方から着脱自在に巻き付け装着が可能なように，一部に開口部２０ｇを備えた断面形状が略Ｃ字状に形成されたブームホルダーを備えることで一方の結合具を構成している。また，図５の３０で示された，一部に開口部３０ｇを備えたブームホルダーを備えることで他方の結合具を構成している。尚，前記ブームホルダー２０が請求項に記載の第１のブームホルダーであり，前記ブームホルダー３０が請求項に記載の第２のブームホルダーである。
【００２２】
このように構成された前記結合具１０は，前記バンド部１１ｃの内懐部に前記ブーム２を存置すると共に，該ブーム２に巻き付け装着された前記ブームホルダー２０若しくはブームホルダー３０を内包させるように組み付けられる。そしてこの状態で，図４及び図６に示されているように，前記支持杆締着部１１ａ・１１ａを前記締具１２によって締め付けることによって，夫々前記ブームホルダー２０若しくはブームホルダー３０を介して前記ブーム２を締着状に保持する。
【００２３】
ここで本発明の結合具１０を構成する前記ブームホルダー２０と前記ブームホルダー３０について更に詳しく説明する。
先ず第１のブームホルダーであるブームホルダー２０について図２及び図３を用いて説明する。図２はブームホルダー２０を説明するための概略図であり，（ａ）はブームに巻き付け装着する前の状態（部品の状態）を示す側面図，（ｂ）は使用状態のブームホルダー２０の説明図，（ｃ）は（ｂ）におけるＡ−Ａ´線から見た断面図（Ｂ部拡大詳細図）である。図３はブームホルダー２０をブームに対して巻き付け装着する手順を説明する概略図である。
【００２４】
本発明に係るブームホルダー２０の構成は，図２（ａ）によく示されているように，外周が多角形状（本発明の実施例では，略六角形）からなるブーム２の外周面における側面２ａ及び２ｂ（図３参照）の形状に対応するように形成され，該ブーム２の側面２ａ及び２ｂに添え付ける２つの添付部２０ａ及び２０ｂと，その添付部２０ａ及び２０ｂの間に延設されるように具備された，前記ブーム２の外周面における，前記添付部２０ａ及び２０ｂに対応する側面２ａ及び２ｂを除く外周面を取り囲むように湾曲形成されたブーム添着部２０ｃから構成されている。
尚，本発明の実施例における添付部は，ブーム２の外周面における２つの側面２ａ及び２ｂの形状に対応するように形成され，該ブーム２の側面２ａ及び２ｂに添え付けるための２つの添付部２０ａ及び２０ｂを備えた例を示したが，少なくとも前記ブーム２の１つの側面（例えば２ａ）に添え付けることができるように１つの前記添付部２０ａを具備すればよい。
【００２５】
更に前記ブーム添着部２０ｃには，当該ブーム添着部２０ｃの両側側に一体的に形成され，外方向に突出するように備えられた一対の係合片２０ｅが具備されている。この一対の係合片２０ｅの間隔Ｌは，前記本体１１のバンド部１１ｃの両側端１１ｅ・１１ｅ（図４参照）間の幅，即ち，ブームの軸線方向に平行な方向の幅より僅かに大きな寸法となるように形成されている。尚，この係合片２０ｅとバンド部１１ｃの両側端１１ｅ・１１ｅが請求項２に記載の係合手段の一実施例を示す。
【００２６】
ブームホルダー２０の形状は，前記ブーム２に対して該ブーム２の側方から着脱自在に巻き付け装着が可能なように，前記添付部２０ａを２つに分割するようにして設けた開口部２０ｇを備えた，断面形状が略Ｃ字状に形成されている。加えて，分割した一方の添付部２０ａ（２１）の先端部には，該添付部２０ａ（２１）の先端部を折り曲げ形成してなる係合爪２０ｄが形成されており，また，分割した他方の添付部２０ａ（２２）には前記係合爪２０ｄを引っ掛けるための係合孔２０ｆが備えられている。
【００２７】
本発明のブームホルダー２０は，図２（ｃ）によく示されているように，前記係合爪２０ｄを前記係合孔２０ｆの内側から引っ掛け止めることによって，前記開口部２０ｇが閉じて添付部２０ａが一体化し，ブームホルダー２０の形状が全体略Ｃ字状から，図２（ｂ）中のＲで示された仮想円に収まるような全体略円形状となるように構成されている。その為，前記ブームホルダー２０は，例えば金属材等からなる塑性変形可能な板状材料で構成するか，樹脂材等の弾性材を用いて構成することで，前記係合爪２０ｄと前記係合孔２０ｆの係合を容易とするばかりでなく，その係合状態を保つことができる。
尚，本発明の実施例では，ブームホルダー２０が前記ブーム２に巻き付け挿着が容易にできるように，前記ブーム添着部２０ｃに対して予め湾曲状に成型しておく例を示したが，巻き付け装着ができるならばブーム添着部２０ｃは必ずしも湾曲状に形成されていなくても良い。
【００２８】
ここで図３を用いて前記ブームホルダー２０がブーム２に装着される手順を説明する。
この図３において６で示される導波器は，図７（ｃ）におけるＣ−Ｃ´線から見た断面図である。ブームホルダー２０の装着に当たっては，先ず，ブーム２に対し当該ブーム２がブームホルダー２０に備えた開口部２０ｇを挿通するように，図３（ａ）の矢印Ｘ方向に向けて装着する。
【００２９】
ブーム２がブームホルダー２０に内包されたなら，前記ブーム添着部２０ｃを撓ませつつ他方の添付部２０ａ（２２）が一方の添付部２０ａ（２１）側に位置するまで図３（ｂ）の矢印Ｙ方向に引き付ける。このときブームホルダー２０の添付部２０ｂがブーム２の側面の一つである２ｂに対向するように装着する。
【００３０】
更に，他方の添付部２０ａ（２２）を矢印Ｙ方向に引き付け，図２（ｃ）に良く示されているように，一方の添付部２０ａ（２１）に形成された係合爪２０ｄの外側から，他方の添付２０ａ（２２）に形成された係合孔２０ｆを被せ付ければ，前記係合爪２０ｄと前記係合孔２０ｇが係合し，ブームホルダー２０は図３（ｃ）のようにブーム２に対して巻き付いた状態で装着が完了する。
ブームホルダー２０は，前記係合爪２０ｄと前記係合孔２０ｇの係合を容易とすると共に，図３（ｃ）のようにブーム２に対して巻き付け装着された状態で，ブームホルダー２０の内周面とブーム２の外周面との間に，若干の間隙が形成されるような長さに形成してあればよい。
【００３１】
このようにブーム２に対して巻き付け装着されたブームホルダー２０は，結合した添付部２０ａがブーム２の側面の一つである２ａに対向すると共に，２つ目の添付部２０ｂがブーム２の側面の一つである２ｂに対向するように配置され，また，ブーム添着部２０ｃは，装着前の湾曲状態から更に縮径した状態で，前記側面２ａと前記側面２ｂを除いた側面を取り巻くような円周形状に配置される。
【００３２】
次に第２のブームホルダーであるブームホルダー３０について図５及び図６を用いて説明する。図５はブームホルダー３０を説明するための概略図であり，（ａ）はブーム２に巻き付け装着する前の状態を示す側面図，（ｂ）は使用状態のブームホルダー３０の説明図である。図６はブームホルダー３０を具備する他方の結合具１０をブーム２に装着する手順を説明する概略図であり，（ａ）はブームホルダー３０をブーム２に巻き付け装着した状態，（ｂ）は他方の結合具１０を装着した状態の断面図である。（ｃ）は（ｂ）の上面図である。
【００３３】
本発明に係るブームホルダー３０の構成は，図５（ａ）によく示されているように，外周が多角形状（本発明の実施例では，略六角形）からなるブーム２の外周面における側面２ａ及び２ｂの形状に対応するように形成された２つの添付部３０ａ及び３０ｂと，その添付部３０ａ及び３０ｂの間に延設されるように具備された，前記ブーム２の外周面における，前記添付部３０ａ及び３０ｂに対応する前記側面２ａ及び２ｂを除く外周面を取り囲むように湾曲形成されたブーム添着部３０ｃから構成されている。
【００３４】
更に前記ブーム添着部３０ｃには，当該ブーム添着部３０ｃを貫通するように形成された係止孔３０ｈが，ブーム締着部の上面と下面に具備されている。尚，この係止孔３０ｈは後に説明する係止螺子３２と共に請求項２に記載の係止手段の一実施例を示す。
【００３５】
ブームホルダー３０の形状は，前記ブーム２に対して該ブーム２の側方から着脱自在に巻き付け装着が可能なように，前記添付部３０ａと前記添付部３０ｂとの間に開口部３０ｇを備えた，断面形状が略Ｃ字状に形成されている。
尚，本発明の実施例では，ブームホルダー３０が前記ブーム２に巻き付け挿着が容易にできるように，前記ブーム添着部３０ｃに対して予め湾曲状に成型しておく例を示したが，巻き付け装着ができるならばブーム添着部３０ｃは必ずしも湾曲状に形成されていなくても良い。その為，前記ブームホルダー３０は，例えば金属材等からなる塑性変形可能な板状材料で構成するか，樹脂材等の弾性材を用いて構成すればよい。
【００３６】
次に，ブームホルダー３０がブーム２に装着される手順について説明する。ブームホルダー３０の装着に当たっては，先ず，ブーム２に対し当該ブーム２がブームホルダー３０に備えた開口部３０ｇを挿通するようにして装着する。
【００３７】
ブーム２がブームホルダー３０に内包されたなら，前記ブーム添着部３０ｃを撓ませつつ一方の添付部３０ａと他方の添付部３０ｂ（２１）を相互に引き付けて，前記開口部３０ｇの間隔を狭める操作を行なえば，ブーム添着部３０ｃが塑性変形し，図６（ａ）に示されているような状態に巻き付け装着が完了する。
【００３８】
更に詳しく説明すると，ブーム２に対して巻き付け装着されたブームホルダー３０は，一方の添付部３０ａの先端部がブーム２の側面の一つである２ａに対応すると共に，他方の添付部３０ｂの先端部がブーム２の側面の一つである２ｂに対応するように配置される。また，ブーム添着部３０ｃは，装着前の湾曲状態から更に縮径した状態で，前記側面２ａと側面２ｂを除いた側面を取り巻くような円周形状に配置され，全体の形状は図３（ｂ）中のＲで示された仮想円に収まるような全体略円形状となる。
ブームホルダー３０の寸法は，ブーム２に対して巻き付け装着された状態で，ブームホルダー３０の内周面とブーム２の外周面との間には若干の間隙が形成されるような長さに形成しておくと良い。
【００３９】
次に，ブーム２に巻き付け装着されたブームホルダー２０とブームホルダー３０に対して，前記本体１１を組み付ける手順を図４及び図６を用いて説明する。
本発明の本体１１は，例えば金属体等からなる板状材料を曲げ形成して，全体がＵ字状にしてあり，Ｕ字状の終端側を構成するバンド部１１ｃと，当該バンド部１１ｃの両自由端に延設するように設けられ，前記支持杆７の立上部７ａの上端の両側に添え付けるための支持杆添着部１１ａ，１１ａとを備えている。
【００４０】
このように構成された本体１１と前記ブームホルダー２０が巻き付け装着されたブーム２との組み付けは，図４（ａ）に示されているように，前記ブーム２の上方から前記バンド部１１ｃの内懐部に当該ブーム２を挿通することで行なう。そして図４（ｂ）のように，ブーム２に巻き付け装着された前記ブームホルダー２０を内包させるように組み付けた状態で，前記支持杆締着部１１ａ・１１ａを支持杆７の立上部７ａの上端に対して被せるようにして取付ける。尚，ブームホルダー３０が巻き付け装着されたブーム２への取り付けも同様な手順で行なわれるので，詳細な説明は省略する。
【００４１】
このように取り付けた状態で，ブームホルダー２０が巻き付け装着されたブーム２に対して組み付けた本体１１，即ち一方の結合具１０では，図４（ｂ）に示されているように，ブームホルダー２０に形成した前記係合片２０ｅが，前記バンド部１１ｃの図の前面端１１ｅ側と後面端１１ｅ側（図示されていない）から突出した状態となり，前記係合片２０ｅとバンド部１１の両側端１１ｅ・１１ｅ（即ち，係合手段）とが夫々係合可能な状態となるように取付けられる。
【００４２】
また，ブームホルダー３０が巻き付け装着されたブーム２に対して組み付けた本体１１，即ち他方の結合具１０では，図６（ｂ）及び図６（ｃ）に示されているように，バンド部１１ｃの外側上方からブーム２に対して係止螺子３２が螺合されている。この係止螺子３２は，本体１１のバンド部１１ｃに形成された長孔３３と，ブームホルダー３０のブーム添着部３０ｃに形成された前記係止孔３０ｈを介して，図には示されていないブーム２に形成された螺子孔２ｈに対して螺合されており，これによってブームホルダー３０は，ブーム２の所定位置に保持されるように取付けられる。
【００４３】
このように取付けが終わったなら，螺子１２ａと蝶ナット１２ｂからなる締具１２でもって，支持杆添着部１１ａ，１１ａを，支持杆７の立上部７ａの上端の両側に対して締，緩自在に締め付けることによって，前記ブームホルダー２０及び前記ブームホルダー３０を介して前記ブーム２を締着状に保持することができる。
【００４４】
ここで，結合具１０の作用について説明する。既に詳述したように，前記ブームホルダー２０及び前記ブームホルダー３０は，夫々の内周面とブーム２の外周面との間に若干の間隙が生じるように巻き付け装着されていたが，前記本体１１が装着され，前記締具１２が締め付けていない状態においても，ブームホルダー２０とブームホルダー３０はブームに対して確りと締着されていない状態で組み付けられている。
【００４５】
その為，前記ブームホルダー２０は，前記本体１１が前記締具１２によって締め付けられていない状態において，ブーム２に対して当該ブーム２の軸線方向（前後方向）の移動が可能な状態で組み付けられている。また，ブームホルダー２０は，添付部２０ａ・２０ｂがブームの側面２ａ・２ｂと対応するように配置されているため，ブーム添着部２０ｃがブーム２の残りの面を取り巻くような円周形状に配置されていても，ブームホルダー２０はブームに対して回動不能な状態で組み付けられる。
【００４６】
更に言えば，本体１１とブームホルダー２０は前記係合手段（係合爪２０ｅとバンド部１１ｃの両側端１１ｅ・１１ｅ）によって相互に係合していることから，本発明のブームホルダー２０を備えてなる一方の結合具１０は，ブーム２に対して当該ブーム２の軸線方向（前後方向）の移動を制限しないように組み付けられていることになる。また，ブームホルダー２０は縮径して，図２（ｂ）中のＲで示された仮想円に収まるような全体略円形状に状態になるため，本体１１はブームホルダー２０に対して回動自在に組み付けられることになる。
【００４７】
前記本体１１が装着され，前記締具１２を緊締した状態では，前記ブームホルダー２０は，本体１１のバンド部１１ｃによって更に縮径してブーム２を締着状に保持する。この時，ブームホルダー２０に形成された前記係合爪２０ｄを引っ掛け止めるための係合孔２０ｆが，所定の大きさを有するように形成されておれば，ブームホルダー２０の縮径に伴って係合爪２０ｄがブーム締着部２０ｃ側に引き寄せられても，前記係合爪２０ｄの動きは制限されない。
【００４８】
一方，ブームホルダー３０は，前記本体１１が装着され，前記締具１２が締め付けられていない状態において，ブーム２に対して当該ブーム２の軸線方向（前後方向）の移動が不能な状態で組み付けられている。何故なら，ブームホルダー３０は前記係止螺子３２の存在によって，ブーム２の所定位置に保持されるように取付けられているためである。同様な理由で，ブームホルダー３０はブーム２に対して回動不能な状態となる。
【００４９】
更に言えば，本体１１のバンド部１１ｃには，図６（ｃ）において３３で示された略Ｌ字状に形成された長孔が形成されており，また，前記係止螺子３２は，図６（ｂ）に示されているように，前記長孔３３とブームホルダー３０のブーム添着部３０ｃに形成された係止孔３０ｈを介して，図には示されていないブーム２に形成された螺子孔２ｈに対して螺合しているため，ブームホルダー３０がブーム２に対して保持された状態で，本体１１は前記長孔３３の形成方向に沿うように移動可能に組み付けられる。
【００５０】
前記長孔３３は，バンド部１１ｃを貫通するように設けられた孔であって，その形状はブーム２の中心軸に平行な方向に長手を有する縦長孔３３ａと，当該縦長孔３３ａに対して直交する方向に長手を有する横長孔３３ｂとからなる略Ｌ字状となるように相互に連設されている。その為，本体１１とブームホルダー１１（言い換えればブーム２）は，前記縦長孔３３ａの長さの範囲でブーム２の前後方向に相互に移動可能となると共に，前記横長孔３３ｂの長さの範囲でブーム２の周りを相互に回動可能となるように組み付けられている。尚，横長孔３３ｂの長さは，図６（ｂ）に示されているように，結合具１０の軸線Ｘとアンテナ素子６ａの軸線Ｙがなす角度が９０°となる位置から，図７（ａ）に示されているように，結合具１０の軸線Ｘとアンテナ素子６ａの軸線Ｙがなす角度が０°となる位置まで回動できるような長さに形成されている。
【００５１】
そして，前記本体１１が装着され，前記締具１２を緊締した状態では，前記ブームホルダー３０は，本体１１のバンド部１１ｃによって更に縮径して，図５（ｂ）中のＲで示された仮想円に収まるような全体略円形状に状態になるため，ブーム２を締着状に保持することができる。ブームホルダー３０の縮径に関しては開口部３０ｇの存在によって制限を受けることなくできる。
【００５２】
以下の説明では，図７を用いて本発明の結合具１０を備えたアンテナの説明を行う。図７はブーム２と結合具１０の取付け状態を説明するための概略図であり，（ａ）は設置前の状態を上から見た面図であり，（ｂ）は操作手順を説明するための図面であり，（ｃ）設置状態を上から見た面図である。
【００５３】
本発明の前記結合具１０がブーム２に対して取り付けられたなら，結合具１０の支持杆締着部１１ａ・１１ａを支持杆７の立上部７ａの上端に対して被せるようにして取付ける。そして，アンテナ１の出荷時や収納時等の設置前の状態においては，図７（ａ）に示すように，締具１２と係止螺子３２を緩めておけば，導波器６と立上部７ａは夫々の軸線が平行となるように折り畳むことができる。次にアンテナ１を設置する場合，先ず図７（ａ）に示されているように，他方の結合具１０において前記係止螺子３２が前記長孔３３の横長孔３３ｂに沿うように，矢印ｒ方向（図の奥行き方向）に支持杆を回転させて支持杆７を立ち上げる。
【００５４】
既に詳述したように，結合具１０の前記ブームホルダー２０及び前記ブームホルダー３０は，夫々ブーム２に対して周方向の回動が不可となるように巻き付け装着されており，また，結合具１０の前記本体１１は，それぞれ前記ブームホルダー２０及び前記ブームホルダー３０に対して周方向に回動が可能なように装着されているので，締具１２と係止螺子３２を緩めた状態では，ブーム２が多角形状を有したアンテナ１であっても支持杆７の立ち上げ操作は簡単に行うことができる。
【００５５】
このように支持杆７の立ち上げが完了したなら，他方の結合具１０において前記係止螺子３２が前記長孔３３の縦長孔３３ａに沿うように，ブーム２を結合具１０に対して図７（ｂ）の矢印Ｆ方向（前方）にスライドさせる（若しくは，支持杆を含めた結合具１０全体をブーム２に対して後方にスライドさせる）。
【００５６】
既に詳述したように，ブームホルダー２０を具備した一方の結合具１０は，ブームホルダー２０と本体１１が係合手段によって係合されていると共に，ブームホルダー２０がブーム２の軸線方向の移動を制限されないように構成されているため，一方の結合具１０の全体がブーム２に対して軸線方向にスライド自在に組みつけられており，また，ブームホルダー３０を具備した他方の結合具１０は，ブームホルダー３０がブーム２に係止手段によって係止されているものの，結合具１０における本体１１はブームホルダー３０に対して，ブーム２の軸線方向の移動を制限されないように構成されているため，他方の結合具１０の本体１１がブームホルダー３０に対してスライド自在に組み付けられていることから，上記スライド操作は簡単に行うことができる。
【００５７】
このように，支持杆７の立ち上げが終わったら，前記締具１２と係止螺子３２を緊締することによって導波器６と支持杆７とは強固に保持される。そして，図７（ｃ）に示すように，導波器６と立上部７ａの軸線がなす角度は９０°となりアンテナ１の設置準備が完了する。
【００５８】
以上まとめると，Ｕ字状にしてある本体１１と前記ブームホルダー２０を備えてなる一方の結合具１０は，断面形状が多角形のブーム２に対して組み付けられ，且つ，締具１２が締め付けられていない状態において，一方の結合具１０全体が該ブーム２の軸線方向（前後方法）への移動の制限を受けないように構成されていると共に，一方の結合具１０における本体１１とブームホルダー２０の関係は，ブーム２に対して回動不能に巻き付け装着されたブームホルダー２０に対して本体１１が回動自在となるように構成されている。そして，締具１２を緊締することによって，全体略円形状に縮径する前記ブームホルダー２０を介して前記ブーム２を締着状に保持する。
【００５９】
また，Ｕ字状にしてある本体１１とブームホルダー３０を備えてなる他方の結合具１０は，断面形状が多角形のブーム２に対して組み付けられ，且つ，前記締具１２及び係止螺子３２が締め付けられていない状態において，前記ブームホルダー３０がブーム２に対して係止手段で保持されていると共に，他方の結合具１０における本体１１とブームホルダー３０の関係は，ブーム２に対して回動不能に巻き付け装着されたブームホルダー３０に対して本体１１が，ブーム２の軸線方向（前後方法）への移動と周方向の回動が可能なように構成されている。そして他方の結合具１０も同様に，締具１２を緊締することによって，全体略円形状に縮径する前記ブームホルダー３０を介して前記ブーム２を締着状に保持する。
【００６０】
このように構成された本発明の結合具１０によれば，本体を新しく作ることなく，従来型のＵ字状をしている本体１１に加え，上記のように構成されたブームホルダー２０若しくはブームホルダー３０を備えたことによって，従来型の本体１１を具備した結合具１０を，断面形状が多角形のブーム２に装着する場合であっても，締具１２及び係止螺子３２を緊締すれば，前記ブーム２に対して回動不能に巻き付け装着された前記ブームホルダー２０及び前記ブームホルダー３０が縮径してブーム２を挟持すると共に，全体略円形状に縮径した前記ブームホルダー２０及び前記ブームホルダー３０の，前記バンド締着部２０ｃ及び３０ｃの外周面が，前記本体１１のバンド部１１ｃの内面と圧接することによって，ブーム２は結合具１０によってバンド部１１の内懐部において回動することが阻止され，支持杆７に対して確りと取り付けられる。
【００６１】
また，本発明の結合具１０によれば，本体１１が従来型のＵ字状をしていると共に，前記ブームホルダー２０及び前記ブームホルダー３０がブームに対して全体略円形状に巻き付け装着されているため，該結合具１０を装着するブーム２の断面形状が多角形であっても，前記締具１２を僅かに緩めれば，前記ブームホルダー２０及び前記ブームホルダー３０の，前記添付部２０ａ・２０及び３０ａ・３０ｂを除く外周面が，前記本体１１のバンド部１１ｃの内面と摺接しながら本体１１を回動できる。
【００６２】
その結果，図１（ｂ）に示すように，導波器６と立上部７ａは夫々の軸線が平行となるように簡単に折り畳むことができる。これにより，予めアンテナ１と支持杆７が組み立てられた状態の仕掛であっても，簡単な操作で上下方向の寸法を短くすることができ，出荷や収納時等の設置前の形状を小さくすることができる。このためアンテナの生産にあっては，導波器６の仕掛が沢山重ねられるなど，運搬や保管を効率よく行うことがでるきようになる。また，アンテナ１の出荷に当たっては，反射器４と，支持杆７を折り畳んだ導波器６，と言うように夫々分解して梱包すれば梱包材等も小さできることから，梱包材の材料費や製品の輸送費などのコスト削減ができ，延いては製品コストダウンが実現できる。
【００６３】
尚，本発明は，以下に例示するように，本発明の趣旨を逸脱しない範囲で各部の構成を適宜に変更して実施することも可能である。
本発明の実施例は，ＵＨＦ帯のアンテナに応用した例を示したが，ブームが多角形であれば，アンテナの種類は問わない。
【符号の説明】
【００６４】
１…アンテナ，２…ブーム，２ａ・２ｂ…添着面，２ｃ…角部，２ｈ…螺子孔，３…アンテナマスト，４…反射器，５…放射器，６…導波器，６ａ…アンテナ素子，７…支持杆，７ａ…立上部，７ｂ…連結具，８…ケーブル支持具，９…同軸ケーブル，１０…結合具，１１…本体，１１ａ…支持杆添着部，１１ｂ…貫通孔，１１ｃ…バンド部，１１ｅ…側端，１２…締具，１２ａ…螺子，１２ｂ…蝶ナット，２０…第１のブームホルダー，２０ａ・２０ｂ…添付部，２０ｃ…ブーム添着部，２０ｄ…係合爪，２０ｅ…係合片，２０ｆ…係合孔，２０ｇ…開口部，３０…第２のブームホルダー，３０ａ・３０ｂ…添付部，３０ｃ…ブーム添着部，３０ｇ…開口部，３０ｈ…係止孔，３２…係止螺子，３３…長孔，３３ａ…縦長孔，３３ｂ…横長孔。
【図１】
2012138761.tif 000003
【図２】
2012138761.tif 000004
【図３】
2012138761.tif 000005
【図４】
2012138761.tif 000006
【図５】
2012138761.tif 000007
【図６】
2012138761.tif 000008
【図７】
2012138761.tif 000009